(57)【要約】【課題】低粘度且つ高引火点を達成できる新規な切削油剤組成物を提供すること。【解決手段】４０℃動粘度が１０〜４０ｍｍ２／ｓであり、粘度指数が８０〜１４０であり、硫黄分が５００質量ｐｐｍ以下である鉱油と、該鉱油より低い４０℃動粘度を有するエステルと、を含む、切削油剤組成物。【選択図】なし【特許請求の範囲】
【請求項１】
４０℃動粘度が１０〜４０ｍｍ２／ｓであり、粘度指数が８０〜１４０であり、硫黄分が５００質量ｐｐｍ以下である鉱油と、
前記鉱油より低い４０℃動粘度を有するエステルと、
を含む、切削油剤組成物。
【請求項２】
前記エステルの含有量が、切削油剤組成物全量を基準として１〜２０質量％である、請求項１に記載の切削油剤組成物。
【請求項３】
前記エステルの４０℃動粘度が３〜３０ｍｍ２／ｓである、請求項１又は２に記載の切削油剤組成物。
【発明の詳細な説明】
【技術分野】
【０００１】
本発明は、切削油剤組成物に関する。
【背景技術】
【０００２】
切削加工の分野においては、被加工物の加工部位を潤滑するために切削油剤組成物が使用されている。生産効率の向上等の観点から、優れた切削性を有する切削油剤組成物の開発が進められている。
【０００３】
切削性に優れる切削油剤組成物として、例えば特許文献１には、鉱油や合成油を基油とし、これに種々の添加剤を含む切削油剤組成物が開示されている。
【先行技術文献】
【特許文献】
【０００４】
【特許文献１】国際公開第２０１５／１０７８２８号
【発明の概要】
【発明が解決しようとする課題】
【０００５】
ところで、切削性を確保しつつ現場での安全性向上や消防法に対応するため、低粘度且つ高引火点である切削油剤組成物のニーズが高まっている。本発明者らの検討によれば、鉱油を基油として用いた切削油剤組成物は、合成油を基油として用いた場合と比較して、切削性に優れるという点でメリットがある一方、低粘度且つ高引火点をバランスよく実現する点で未だ改善の余地がある。
【０００６】
本発明は、このような実情に鑑みてなされたものであり、鉱油を用いた場合であっても、低粘度且つ高引火点を達成できる新規な切削油剤組成物を提供することを目的とする。
【課題を解決するための手段】
【０００７】
本発明は、４０℃動粘度が１０〜４０ｍｍ２／ｓであり、粘度指数が８０〜１４０であり、硫黄分が５００質量ｐｐｍ以下である鉱油と、該鉱油より低い４０℃動粘度を有するエステルと、を含む、切削油剤組成物を提供する。
【０００８】
エステルの含有量は、切削油剤組成物全量を基準として１〜２０質量％であってもよい。
【０００９】
エステルの４０℃動粘度は、３〜３０ｍｍ２／ｓであってもよい。
【発明の効果】
【００１０】
本発明によれば、鉱油を用いた場合であっても、低粘度且つ高引火点を達成できる新規な切削油剤組成物を提供することができる。
【発明を実施するための形態】
【００１１】
以下、本発明の実施形態について詳細に説明する。
【００１２】
本実施形態に係る切削油剤組成物は、４０℃動粘度が１０〜４０ｍｍ２／ｓであり、粘度指数が８０〜１４０であり、硫黄分が０．０５質量％以下である鉱油と、該鉱油より低い４０℃動粘度を有するエステルと、を含む。
【００１３】
鉱油としては、原油を常圧蒸留及び減圧蒸留して得られた潤滑油留分を、溶剤脱れき、溶剤抽出、水素化分解、溶剤脱ろう、接触脱ろう、水素化精製、硫酸洗浄、白土処理等の精製処理を単独又は２つ以上適宜組み合わせて精製したパラフィン系、ナフテン系等の鉱油のうち、４０℃動粘度、粘度指数、及び硫黄分が上記の範囲内のものを挙げることができる。
【００１４】
鉱油の４０℃動粘度は、１０ｍｍ２／ｓ以上であり、低粘度且つ高引火点を更にバランスよく実現する観点から、好ましくは１１ｍｍ２／ｓ以上、より好ましくは１１．５ｍｍ２／ｓ以上、更に好ましくは１２ｍｍ２／ｓ以上である。鉱油の４０℃動粘度は、４０ｍｍ２／ｓ以下であり、低粘度且つ高引火点を更にバランスよく実現する観点から、好ましくは３５ｍｍ２／ｓ以下、より好ましくは３０ｍｍ２／ｓ以下、更に好ましくは２０ｍｍ２／ｓ以下である。本明細書における動粘度は、ＪＩＳ  Ｋ  ２２８３に準拠して測定される動粘度を意味する。
【００１５】
鉱油の１００℃動粘度は、特に限定されないが、例えば１．０ｍｍ２／ｓ以上、１．５ｍｍ２／ｓ以上、又は２．０ｍｍ２／ｓ以上であってよい。鉱油の１００℃動粘度の上限値も特に限定されないが、例えば８．０ｍｍ２／ｓ以下、７．０ｍｍ２／ｓ以下、又は６．０ｍｍ２／ｓ以下であってよい。
【００１６】
鉱油の粘度指数は、８０以上であり、低粘度且つ高引火点を更にバランスよく実現する観点から、好ましくは１０５以上、より好ましくは１１５以上、更に好ましくは１２０以上である。鉱油の粘度指数は、１４０以下である。本明細書において粘度指数は、ＪＩＳ  Ｋ  ２２８３−１９９３に準拠して測定される粘度指数を意味する。
【００１７】
鉱油の硫黄分は、鉱油全量を基準として、５００質量ｐｐｍ以下であり、低粘度且つ高引火点を更にバランスよく実現する観点から、好ましくは１００質量ｐｐｍ以下、より好ましくは５０質量ｐｐｍ以下、更に好ましくは１０質量ｐｐｍ以下である。鉱油の硫黄分の下限値は、特に限定されないが、例えば０．５質量ｐｐｍ以上であってよい。本明細書において硫黄分は、ＪＩＳ  Ｋ  ２５４１−６：２０１３で規定される紫外蛍光法によって測定される硫黄分を意味する。
【００１８】
鉱油のパラフィン分は、特に限定されないが、鉱油全量を基準として、好ましくは２０質量％以上、より好ましくは３０質量％以上、更に好ましくは３５質量％以上である。また、ナフテン分は、特に限定されないが、鉱油全量を基準として、好ましくは５質量％以上、より好ましくは１０質量％以上、更に好ましくは１５質量％以上である。また、ナフテン分は、鉱油全量を基準として、好ましくは８０質量％以下、より好ましくは７０質量％以下、更に好ましくは６５質量％以下である。また、芳香族分は、特に限定されないが、鉱油全量を基準として、好ましくは２０質量％以下、より好ましくは１５質量％以下、更に好ましくは１０質量％以下である。
【００１９】
鉱油の含有量は、低粘度且つ高引火点を更にバランスよく実現する観点から、切削油剤組成物全量を基準として、好ましくは５０質量％以上、より好ましくは７０質量％以上、更に好ましくは８０質量％以上である。鉱油の含有量の上限は、特に限定されないが、切削油剤組成物全量を基準として、例えば９９質量％以下である。
【００２０】
本実施形態に係る切削油剤組成物は、上記の鉱油に加えて、当該鉱油より低い４０℃動粘度を有するエステルを含む。
【００２１】
エステルの４０℃動粘度は、上記鉱油の４０℃動粘度よりも低く、低粘度且つ高引火点を更にバランスよく実現する観点から、好ましくは３０ｍｍ２／ｓ以下、より好ましくは２０ｍｍ２／ｓ以下、更に好ましくは１０ｍｍ２／ｓ以下であり、特に好ましくは１０ｍｍ２／ｓ未満である。エステルの４０℃動粘度の下限値は特に限定されないが、例えば３ｍｍ２／ｓ以上であってよく、５ｍｍ２／ｓ以上であってよい。
【００２２】
エステルを構成するアルコールは、１価アルコールでも多価アルコールでもよい。また、当該エステルを構成するカルボン酸は、一塩基酸でも多塩基酸であってもよい。
【００２３】
１価アルコールとしては、通常炭素数１〜２４のものが用いられ、このようなアルコールとしては直鎖のものでも分岐のものでもよい。炭素数１〜２４のアルコールとしては、具体的には、メタノール、エタノール、直鎖状又は分岐状のプロパノール、直鎖状又は分岐状のブタノール、直鎖状又は分岐状のオクタノール、直鎖状又は分岐状のノナノール、直鎖状又は分岐状のデカノール、直鎖状又は分岐状のウンデカノール、直鎖状又は分岐状のドデカノール、直鎖状又は分岐状のトリデカノール、直鎖状又は分岐状のテトラデカノール、直鎖状又は分岐状のペンタデカノール、直鎖状又は分岐状のヘキサデカノール、直鎖状又は分岐状のヘプタデカノール、直鎖状又は分岐状のオクタデカノール、直鎖状又は分岐状のノナデカノール、直鎖状又は分岐状のエイコサノール、直鎖状又は分岐状のヘンエイコサノール、直鎖状又は分岐状のトリコサノール、直鎖状又は分岐状のテトラコサノール及びこれらの混合物が挙げられる。
【００２４】
多価アルコールとしては、通常２〜１０価、好ましくは２〜６価のものが用いられる。２〜１０価の多価アルコールとしては、具体的には、エチレングリコール、ジエチレングリコール、ポリエチレングリコール（エチレングリコールの３〜１５量体）、プロピレングリコール、ジプロピレングリコール、ポリプロピレングリコール（プロピレングリコールの３〜１５量体）、１，３−プロパンジオール、１，２−プロパンジオール、１，３−ブタンジオール、１，４−ブタンジオール、２−メチル１，２−プロパンジオール、２−メチル−１，３−プロパンジオール、１，２−ペンタンジオール、１，３−ペンタンジオール、１，４−ペンタンジオール、１，５−ペンタンジオール、ネオペンチルグリコール等の２価アルコール；グリセリン、ポリグリセリン（グリセリンの２〜８量体、例えばジグリセリン、トリグリセリン、テトラグリセリン）、トリメチロールアルカン（トリメチロールエタン、トリメチロールプロパン、トリメチロールブタン等）及びこれらの２〜８量体、ペンタエリスリトール及びこれらの２〜４量体、１，２，４−ブタントリオール、１，３，５−ペンタントリオール、１，２，６−ヘキサントリオール、１，２，３，４−ブタンテトロール、ソルビトール、ソルビタン、ソルビトールグリセリン縮合物、アドニトール、アラビトール、キシリトール、マンニトール等の多価アルコール；キシロース、アラビノース、リボース、ラムノース、グルコース、フルクトース、ガラクトース、マンノース、ソルボース、セロビオース、マルトース、イソマルトース、トレハロース、スクロース等の糖類、及びこれらの混合物が挙げられる。
【００２５】
これらの中でも特に、１価アルコールが好ましく、炭素数１〜２４の直鎖状又は分岐状のアルコールがより好ましく、直鎖状又は分岐状のオクタノールが更に好ましく、分岐状のオクタノールが特に好ましい。
【００２６】
エステルを構成する一塩基酸としては、通常炭素数６〜２４の脂肪酸で、直鎖のものでも分岐のものでもよく、また飽和のものでも不飽和のものでもよい。具体的には、直鎖状又は分岐状のヘキサン酸、直鎖状又は分岐状のオクタン酸、直鎖状又は分岐状のノナン酸、直鎖状又は分岐状のデカン酸、直鎖状又は分岐状のウンデカン酸、直鎖状又は分岐状のドデカン酸、直鎖状又は分岐状のトリデカン酸、直鎖状又は分岐状のテトラデカン酸、直鎖状又は分岐状のペンタデカン酸、直鎖状又は分岐状のヘキサデカン酸、直鎖状又は分岐状のオクタデカン酸、直鎖状又は分岐状のヒドロキシオクタデカン酸、直鎖状又は分岐状のノナデカン酸、直鎖状又は分岐状のエイコサン酸、直鎖状又は分岐状のヘンエイコサン酸、直鎖状又は分岐状のドコサン酸、直鎖状又は分岐状のトリコサン酸、直鎖状又は分岐状のテトラコサン酸等の飽和脂肪酸；直鎖状又は分岐状のヘキセン酸、直鎖状又は分岐状のヘプテン酸、直鎖状又は分岐状のオクテン酸、直鎖状又は分岐状のノネン酸、直鎖状又は分岐状のデセン酸、直鎖状又は分岐状のウンデセン酸、直鎖状又は分岐状のドデセン酸、直鎖状又は分岐状のトリデセン酸、直鎖状又は分岐状のテトラデセン酸、直鎖状又は分岐状のペンタデセン酸、直鎖状又は分岐状のヘキサデセン酸、直鎖状又は分岐状のオクタデセン酸、直鎖状又は分岐状のヒドロキシオクタデセン酸、直鎖状又は分岐状のノナデセン酸、直鎖状又は分岐状のエイコセン酸、直鎖状又は分岐状のヘンエイコセン酸、直鎖状又は分岐状のドコセン酸、直鎖状又は分岐状のトリコセン酸、直鎖状又は分岐状のテトラコセン酸等の不飽和脂肪酸；及びこれらの混合物が挙げられる。これらの中でも、特に炭素数８〜２０の不飽和脂肪酸、及びこれらの混合物が好ましく、直鎖状又は分岐状のオクタデセン酸がより好ましく、直鎖状のオクタデセン酸が更に好ましい。
【００２７】
エステルを構成する多塩基酸としては、炭素数２〜１６の二塩基酸及びトリメリト酸が挙げられる。炭素数２〜１６の二塩基酸としては、直鎖のものでも分岐のものでもよく、また飽和のものでも不飽和のものでもよい。具体的には、エタン二酸、プロパン二酸、直鎖状又は分岐状のブタン二酸、直鎖状又は分岐状のペンタン二酸、直鎖状又は分岐状のヘキサン二酸、直鎖状又は分岐状のオクタン二酸、直鎖状又は分岐状のノナン二酸、直鎖状又は分岐状のデカン二酸、直鎖状又は分岐状のウンデカン二酸、直鎖状又は分岐状のドデカン二酸、直鎖状又は分岐状のトリデカン二酸、直鎖状又は分岐状のテトラデカン二酸、直鎖状又は分岐状のヘプタデカン二酸、直鎖状又は分岐状のヘキサデカン二酸等の飽和二塩基酸；直鎖状又は分岐状のヘキセン二酸、直鎖状又は分岐状のオクテン二酸、直鎖状又は分岐状のノネン二酸、直鎖状又は分岐状のデセン二酸、直鎖状又は分岐状のウンデセン二酸、直鎖状又は分岐状のドデセン二酸、直鎖状又は分岐状のトリデセン二酸、直鎖状又は分岐状のテトラデセン二酸、直鎖状又は分岐状のヘプタデセン二酸、直鎖状又は分岐状のヘキサデセン二酸等の不飽和に塩基酸；及びこれらの混合物が挙げられる。
【００２８】
本実施形態においては、任意のアルコールとカルボン酸の組合せによるエステルが使用可能であり、特に限定されるものではない。具体的には下記（ｉ）〜（ｖｉｉ）に示すエステルを好ましく使用することができる。
（ｉ）１価アルコールと一塩基酸とのエステル。
（ｉｉ）多価アルコールと一塩基酸とのエステル。
（ｉｉｉ）１価アルコールと多塩基酸とのエステル。
（ｉｖ）多価アルコールと多塩基酸とのエステル。
（ｖ）１価アルコール及び多価アルコールの混合アルコールと多塩基酸とのエステル。
（ｖｉ）多価アルコールと一塩基酸及び多塩基酸の混合カルボン酸とのエステル。
（ｖｉｉ）１価アルコール及び多価アルコールの混合アルコールと一塩基酸及び多塩基酸の混合カルボン酸とのエステル。
【００２９】
なお、アルコール成分として多価アルコールを用いた場合、そのエステルは、多価アルコール中の水酸基全てがエステル化された完全エステルであってもよく、また、水酸基の一部がエステル化されず水酸基のままで残っている部分エステルであってもよい。また、カルボン酸成分として多塩基酸を用いた場合、そのエステルは、多塩基酸中のカルボキシル基全てがエステル化された完全エステルであってもよく、カルボキシル基の一部がエステル化されずカルボキシル基のままで残っている部分エステルであってもよい。
【００３０】
エステルとしては、上記したいずれのものも使用可能であるが、低粘度且つ高引火点を更にバランスよく実現する観点から、（ｉ）１価アルコールと一塩基酸とのエステルが好ましい。
【００３１】
本実施形態において好ましく用いられる１価アルコールと一塩基酸とのエステルの合計炭素数には特に制限はないが、合計炭素数の下限値が７以上のエステルが好ましく、１１以上のエステルがより好ましく、１５以上のエステルが更に好ましい。また、合計炭素数の上限値が３２以下のエステルが好ましく、３０以下のエステルがより好ましく、２８以下のエステルが更に好ましい。
【００３２】
このようなエステルの特に好ましい例としては、具体的には、２−エチルヘキシルオレート、オクチルオレート等が挙げられる。
【００３３】
エステルの含有量は、低粘度且つ高引火点を更にバランスよく実現する観点から、切削油剤組成物全量を基準として、好ましくは１質量％以上、より好ましくは５質量％以上、更に好ましくは８質量％以上である。エステルの含有量は、低粘度且つ高引火点を更にバランスよく実現する観点から、切削油剤組成物全量を基準として、好ましくは２０質量％以下、より好ましくは１５質量％以下、更に好ましくは１２質量％以下である。
【００３４】
本実施形態に係る切削油剤組成物は、更にその優れた効果を向上させるために、必要に応じて、酸化防止剤、金属不活性化剤、ミスト防止剤等の添加剤を、単独で又は２種以上を組み合わせて更に添加してもよい。
【００３５】
酸化防止剤としては、２，６−ジ−ターシャリーブチル−ｐ−クレゾール（ＤＢＰＣ）等のフェノール系化合物、フェニル−α−ナフチルアミン等の芳香族アミン、ジアルキルジチオリン酸亜鉛等の有機金属化合物などが例示できる。
【００３６】
金属不活性化剤としては、ベンゾトリアゾール等が挙げられる。
【００３７】
ミスト防止剤としては、ポリイソブチレン、エチレン−プロピレンコポリマー等の炭化水素系高分子化合物などが挙げられる。
【００３８】
これらの添加剤の合計含有量は、切削油剤組成物全量を基準として、通常１０質量％以下、好ましくは８質量％以下、より好ましくは５質量％以下である。
【００３９】
本実施形態に係る切削油剤組成物は、本発明の効果を著しく損なわない範囲において、上述した鉱油以外の鉱油、油脂及び合成油からなる群より選ばれる少なくとも１種を含むこともできる。
【００４０】
油脂としては、牛脂、豚脂、大豆油、菜種油、米ぬか油、ヤシ油、パーム油、パーム核油、或いはこれらの水素添加物などが挙げられる。
【００４１】
合成油としては、例えば、ポリα−オレフィン（エチレン−プロピレン共重合体、ポリブテン、１−オクテンオリゴマー、１−デセンオリゴマー、及びこれらの水素化物等）、アルキルベンゼン、アルキルナフタレン、ポリオキシアルキレングリコール、ポリフェニルエーテル、ジアルキルジフェニルエーテル、ポリフェニルエーテル、ジアルキルジフェニルエーテル、含フッ素化合物（パーフルオロポリエーテル、フッ素化ポリオレフィン等）、シリコーン油などを挙げることができる。
【００４２】
本実施形態に係る切削油剤組成物の１５℃における密度は、例えば０．８６ｇ／ｃｍ３以下、又は０．８５ｇ／ｃｍ３以下であってよい。切削油剤組成物の１５℃における密度は、例えば０．８１ｇ／ｃｍ３以上、又は０．８２ｇ／ｃｍ３以上であってよい。本明細書において密度は、ＪＩＳ  Ｋ  ２２４９：２０１１に準拠して１５℃において測定された密度を意味する。
【００４３】
本実施形態に係る切削油剤組成物の引火点は、安全性の観点から、好ましくは２００℃以上、より好ましくは２０５℃以上である。切削油剤組成物の引火点は、低粘度且つ高引火点を更にバランス良く実現する観点から、好ましくは２４０℃以下、より好ましくは２３０℃以下である。本明細書において引火点は、ＪＩＳ  Ｋ  ２２６５−４：２００７（クリーブランド開放（ＣＯＣ）法）に準拠して測定される引火点を意味する。
【００４４】
本実施形態に係る切削油剤組成物の４０℃動粘度は、低粘度且つ高引火点を更にバランスよく実現する観点から、好ましくは１５．５ｍｍ２／ｓ以上であり、より好ましくは１６ｍｍ２／ｓ以上、更に好ましくは１６．５ｍｍ２／ｓ以上、特に好ましくは１７ｍｍ２／ｓ以上である。切削油剤組成物の４０℃動粘度は、低粘度且つ高引火点を更にバランスよく実現する観点から、好ましくは２０ｍｍ２／ｓ以下であり、より好ましくは１９ｍｍ２／ｓ以下、更に好ましくは１８ｍｍ２／ｓ以下である。
【００４５】
切削油剤組成物の１００℃動粘度は、特に限定されないが、例えば２．０ｍｍ２／ｓ以上、２．５ｍｍ２／ｓ以上、又は３．０ｍｍ２／ｓ以上であってよい。切削油剤組成物の１００℃動粘度の上限値も特に限定されないが、例えば９．０ｍｍ２／ｓ以下、８．０ｍｍ２／ｓ以下、又は７．０ｍｍ２／ｓ以下であってよい。
【００４６】
切削油剤組成物の粘度指数は、低粘度且つ高引火点を更にバランスよく実現する観点から、好ましくは８０以上であり、より好ましくは１００以上、更に好ましくは１２０以上、特に好ましくは１３０以上である。切削油剤組成物の粘度指数は、低粘度且つ高引火点を更にバランスよく実現する観点から、好ましくは１６０以下であり、より好ましくは１５５以下、更に好ましくは１５０以下、特に更に好ましくは１４５以下である。
【００４７】
切削油剤組成物の酸価は、例えば１．０ｍｇＫＯＨ／ｇ以下、又は０．１ｍｇＫＯＨ／ｇ以下、又は０．０５ｍｇＫＯＨ／ｇ以下であってよい。本明細書において酸価は、ＪＩＳ  Ｋ  ２５０１：２００３に準拠して測定される酸価を意味する。
【００４８】
切削油剤組成物の流動点は、例えば−１０℃以下、又は−１５℃以下であってよく、−５０℃以下であってもよいが、精製コストの観点から−４０℃以上であってもよい。本明細書において流動点は、ＪＩＳ  Ｋ  ２２６９：１９８７に準拠して測定される流動点を意味する。
【００４９】
切削油剤組成物の硫黄分は、低粘度且つ高引火点を更にバランスよく実現する観点から、切削油剤組成物全量を基準として、好ましくは５００質量ｐｐｍ以下であり、より好ましくは２００質量ｐｐｍ以下、更に好ましくは１００質量ｐｐｍ以下である。切削油剤組成物の硫黄分の下限値は、特に限定されないが、例えば０．５質量ｐｐｍ以上であってよい。
【００５０】
切削油剤組成物のガスクロマトグラフィー蒸留（以下、ＧＣ蒸留ともいう）による蒸留性状（特に記載がない場合もＧＣ蒸留による蒸留性状を意味する）において、蒸留終点ＥＰは、例えば、４５０℃以上、又は４７０℃以上であってよく、例えば、５５０℃以下、又は５２０℃以下であってよい。
【００５１】
切削油剤組成物の初留点ＩＢＰは、例えば、２８５℃以上、又は２９０℃以上であってよく、例えば、３５０℃以下、又は３３０℃以下であってよい。
【００５２】
切削油剤組成物の５％留出温度Ｔ５は、例えば、３３０℃以上、又は３４５℃以上であってよく、例えば、３８０℃以下、又は３７０℃以下であってよい。
【００５３】
切削油剤組成物の９５％留出温度Ｔ９５は、例えば、４３０℃以上、又は４４０℃以上であってよく、例えば、４９０℃以下、又は４８０℃以下であってよい。
【００５４】
上記本実施形態に係る切削油剤組成物は、例えば金属の切削加工において好ましく用いられる。被加工物の材質については、特に限定されず、例えば、鉄、ステンレス、アルミニウム又はその合金、ニッケル又はその合金、クロム又はその合金、銅又はその合金、亜鉛又はその合金、チタン又はその合金等が挙げられる。
【実施例】
【００５５】
以下、実施例及び比較例に基づき本発明を更に具体的に説明するが、本発明は以下の実施例に何ら限定されるものではない。
【００５６】
以下に示す鉱油を用いて、表１に示す組成を有する鉱油Ａ１〜Ａ５を調製した。調製した鉱油Ａ１〜Ａ５の組成及び性状を表１に示す。
【００５７】
鉱油１：グループＩＩ鉱油（４０℃動粘度：１２．１１ｍｍ２／ｓ、１００℃動粘度：３．０２２ｍｍ２／ｓ、粘度指数：１０５、硫黄量：１ｐｐｍ）
鉱油２：グループＩＩＩ鉱油（４０℃動粘度：１９．１７ｍｍ２／ｓ、１００℃動粘度：４．２２４ｍｍ２／ｓ、粘度指数：１２７、硫黄量：１ｐｐｍ）
鉱油３：グループＩ鉱油（４０℃動粘度：６．７８２ｍｍ２／ｓ、１００℃動粘度：２．０６６ｍｍ２／ｓ、粘度指数：９６、硫黄量：１５００ｐｐｍ）
鉱油４：グループＩ鉱油（４０℃動粘度：２３．０４ｍｍ２／ｓ、１００℃動粘度：４．４２４ｍｍ２／ｓ、粘度指数：１０１、硫黄量：１７００ｐｐｍ）
【００５８】
【表１】
2020015849.tif 000002
【００５９】
（実施例１〜３、比較例１〜２）
上記で調製した鉱油Ａ１〜Ａ５と以下に示す各成分を用いて、表２に示す組成を有する切削油剤組成物を調製した。調製した切削油剤組成物の組成及び性状を表２に示す。
【００６０】
エステルＢ１：２−エチルヘキシルオレート（４０℃動粘度：８．３５６ｍｍ２／ｓ）
【００６１】
添加剤Ｃ１：酸化防止剤（ＤＢＰＣ）
添加剤Ｃ２：金属不活性化剤（ベンゾトリアゾール）
添加剤Ｃ３：ミスト防止剤（ＰＩＢ；平均分子量：約３０万）
添加剤Ｃ４：ミスト防止剤（ＰＩＢ；平均分子量：約５０万）
【００６２】
【表２】
2020015849.tif 000003